(57)【要約】【課題】施工性や排水性を低下させることなく、建具のパネル間口内に加熱膨張材を安定して保持する。【解決手段】  パネル間口を有する上下の横材及び左右の竪材の内周にパネル体を備えてなり、横材及び竪材のパネル間口には、補強部材が配置されていないとともに、加熱膨張材を収容するホルダーがパネル間口の見込壁部から突出しないように見込壁部に飲み込ませて設けられている。【選択図】図２
2019152055.tif 000002
【特許請求の範囲】
【請求項１】
パネル間口を有する上、下横材及び左、右竪材の内周にパネル体を備えてなり、
横材及び竪材のパネル間口には、補強部材が配置されていないとともに、加熱膨張材を収容するホルダーがパネル間口の見込壁部から突出しないように見込壁部に飲み込ませて設けられている
防火建具。
【請求項２】
パネル間口を有する上、下横材及び左、右竪材の内周にパネル体を備えてなり、
加熱膨張材を保持するホルダーが、ホルダーの一方の係止部がパネル間口の見込壁部から突出しないように見込壁部に飲み込ませた状態で、パネル間口の見付壁部に設けられている
防火建具。
【発明の詳細な説明】
【技術分野】
【０００１】
本発明は、躯体開口部に配置される防火建具に関する。
【背景技術】
【０００２】
建物の躯体開口部に配置される建具には、耐火性能が求められている。
そして、近年、アルミの押出形材からなる枠体もしくは障子の框体を四周に組んでなる枠部材の内周にパネル体を配置してなる建具において、枠体もしくは框体のパネル間口溝に加熱により膨張する加熱膨張材を配置して耐火性能を向上させた建具が公知となっている。（特許文献１）
【先行技術文献】
【特許文献】
【０００３】
【特許文献１】特開２０１６−１８０２６９公報
【発明の概要】
【発明が解決しようとする課題】
【０００４】
前記特許文献１の建具は、枠体もしくは框体のパネル間口溝に加熱により膨張する加熱膨張材を配置することで耐火性能を向上させることはできるが、パネル間口溝内に配置された加熱膨張材がはがれることがあった。そのため加熱膨張材を保持するためのホルダーを形成することも考えられるが、パネル間口内にホルダーを構成する左右の係止片がパネル間口の内面から突出するために、横材と竪材との結合のために切除等の加工が必要となり、また、パネル間口内に侵入した水の排水の妨げとなる懸念があった。
【０００５】
本発明は、上記の事情を鑑みたものであり、防火建具において、施工性や排水性を低下させることなく、横材もしくは竪材に対して、加熱膨張材を安定して保持することを目的とする。
【課題を解決するための手段】
【０００６】
本発明の一実施形態は、パネル間口を有する上、下横材及び左、右竪材の内周にパネル体を備えてなり、横材及び竪材のパネル間口には、補強部材が配置されていないとともに、加熱膨張材を収容するホルダーがパネル間口の見込壁部から突出しないように見込壁部に飲み込ませて設けられている防火建具である。
【発明の効果】
【０００７】
本発明により、施工性や排水性を低下させることなく、加熱膨張材を安定して保持することができる。
【図面の簡単な説明】
【０００８】
【図１】本発明の一実施形態の建具の外観姿図であり、（ａ）は全体の外観姿図、（ｂ）は障子２の外観姿図である。
【図２】本発明の一（第１の）実施形態の建具が備える障子の断面図であり、（ａ）は図１（ｂ）におけるｘ１−ｘ１縦断面図、（ｂ）は図１（ｂ）におけるｙ１−ｙ１横断面図である。
【図３】本発明の他の一（第２の）実施形態の建具が備える障子の断面図であり、（ａ）は図１（ｂ）におけるｘ１−ｘ１縦断面図、（ｂ）は図１（ｂ）におけるｙ１−ｙ１横断面図、（ｃ）は図１（ｂ）におけるｙ１−ｙ１横断面図の他の例である。
【図４】本発明の第１の実施形態の建具が備える障子の框材の断面図であり、（ａ）は上框の断面図、（ｂ）は下框の断面図、（ｃ）は竪框の断面図である。
【図５】本発明の第２の実施形態の建具が備える障子の框材の断面図であり、（ａ）は上框の断面図、（ｂ）は下框の断面図、（ｃ）は竪框の断面図である。
【発明を実施するための形態】
【０００９】
本発明の一実施形態の建具について、図面を参考に説明する。
本発明の一実施形態の建具は、図１（ａ）に示すように、建物開口部の内周面に配置される枠体１と、枠体１の内側に開閉可能に支持された障子２とを備える。
なお、本実施形態では、枠体１の内側に障子２を縦すべり出し可能に組み付けた縦すべり出し窓の例を用いて説明する。
【００１０】
枠体１は、上、下枠１１，１２及び右，左竪枠１３，１４を四周に枠組みしてなる。
一方、障子２は、図１（ａ），（ｂ）に示すように、上框（上横材），下框（下横材）２１，２２と右竪框（右竪材）２３，左竪框（左竪材）２４を四周に框組して、内周にガラス等のパネル体２５を配置してなる。
上框２１及び下框２２は、両端部を右，左竪框２３，２４に対していんろう接合されている。
【００１１】
図２（ａ）に示すように、障子２の上框２１は、アルミ合金等の金属材料からなり、中空形状の上框本体２１１と、上框本体２１１の室内側内周から下方に延設される室内側壁部２１２ａと、上框本体２１１の室外側内周から下方に延設される室外側壁部２１２ｂと、上框本体２１１の室外側外周から上方に延設される外周壁部２１３を有している。
そして、上框本体２１１の底壁部（見込壁部）２１１ａと、室内側壁部（見付壁部）２１２ａと室外側壁部（見付壁部）２１２ｂとにより、パネル体２５の上辺が保持されるパネル間口２１２が形成されている。
【００１２】
障子２の下框２２は、アルミ合金等の金属材料からなり、中空形状の下框本体２２１と、下框本体２２１の室内側内周から上方に延設される室内側壁部２２２ａと、下框本体２２１の室外側内周から上方に延設される室外側壁部２２２ｂと、下框本体２２１の室外側外周から下方に延設される外周壁部２２３を有している。
そして、下框本体２２１の底壁部（見込壁部）２２１ａと、室内側壁部（見付壁部）２２２ａと室外側壁部（見付壁部）２２２ｂとにより、パネル体２５の下辺が保持されるパネル間口２２２が形成されている。
【００１３】
図２（ｂ）に示すように、障子２の右竪框２３は、アルミ合金等の金属材料からなり、中空形状の右竪框本体２３１と、右竪框本体２３１の室内側内周から内周（左）方向に延設される室内側壁部２３２ａと、右竪框本体２３１の室外側内周から内周（左）方向に延設される室外側壁部２３２ｂと、右竪框本体２３１の室外側外周から外周（右）方向に延設される外周壁部２３３を有している。
そして、右竪框本体２３１の底壁部（見込壁部）２３１ａと、室内側壁部（見付壁部）２３２ａと室外側壁部（見付壁部）２３２ｂとにより、パネル体２５の右（竪）辺が配置されるパネル間口２３２が形成されている。
なお、左竪框２４は、右竪框２３と同様の構成を備えており、説明を省略する。
【００１４】
パネル体２５は、室内外２枚のガラス等のパネルからなる複層パネルにより形成され、複層パネルの一方（本実施形態では、室外側）のパネル２５１は例えば網入ガラスなどの耐火パネルにより形成されており、他方（本実施形態では、室内側）のパネル２５２は例えば非網入りガラス、フロートガラスや型ガラスおよびLow-Eなどの非耐火パネルにより形成されている。なお、一方のパネル２５１に用いられる耐火パネルは、網入ガラス、耐熱性強化ガラスなど、耐火性を有するガラス等のパネルであればよい。
【００１５】
一方（室外側）のパネル２５１と他方（室内側）のパネル２５２の間には、外周に沿ってスペーサ２５３が配置されており２枚のパネルの間隔を維持すると共に、複層パネルの四周の端縁には、グレイジングチャンネル２６が配置されている。
パネル体（複層パネル）２５は、グレイジングチャンネル２６を介して、上、下框２１，２２および右，左竪框２３，２４の各パネル間口に保持されている。
【００１６】
そして、下框２２のパネル間口２２２内には、ガラスライナー２７が配置されており、パネル体（複層パネル）２５が載置されている。
【００１７】
図２ないし図６を参考にして、本発明の実施形態の建具について、さらに説明する。
−第１の実施形態−
第１の実施形態の建具は、図２に示すように、障子２の上框２１のパネル間口２１２の底壁部（見込壁部）２１１ａの室内側に、ホルダー（膨張材保持部）２１４が設けられており、下框２２のパネル間口２２２および右（左）竪框２３のパネル間口２３２の底壁部（見込壁部）２２１ａ，２３１ａの室外側に、それぞれホルダー（膨張材保持部）２２４，２３４が設けられている。加熱膨張材ｆ１，ｆ２，ｆ３は、パネル間口内に形成されたホルダー２１４，２２，２３４によって保持されて各框材の長手方向に沿って配置されている。
なお、本実施形態の建具においては、上框２１、下框２２のパネル間口２１２，２２２および右（左）竪框２３の各パネル間口２３２内に、パネル保持具等の長尺の補強部材は配置されていない。
【００１８】
そして、各ホルダー（膨張材保持部）は、各パネル間口の底壁部（見込壁部）に飲み込ませて設けられており、各ホルダー（膨張材保持部）の両側の係止部がパネル間口の底壁部から内周方向に突出しないように設けられている。
【００１９】
具体的には、図４（ａ）に示すように、上框２１のホルダー（膨張材保持部）２１４は、上框２１の底壁部（見込壁部）２１１ａの下面（見込面）の室内側に形成されており、加熱膨張材ｆ１を収容する収容部２１４ａと収容部２１４ａの室内側に設けられる室内側係止部２１４ｂと収容部２１４ａの室外側に設けられる室外側係止部２１４ｃを有しており、両係止部２１４ｂ，２１４ｃの間が加熱時に加熱膨張材が膨出する開口部となっている。
【００２０】
そして、上框２１のホルダー（膨張材保持部）２１４の収容部２１４ａ全体が上框本体２１１の中空部内に飲み込まれるように形成されており、室内側係止部２１４ｂと室外側係止部２１４ｃが上框２１の底壁部２１１ａの下面から下方に突出することなく、底壁部２１１ａの下面はほぼ面一状態となっている。
【００２１】
また、図４（ｂ）に示すように、下框２２のホルダー（膨張材保持部）２２４は、下框２２の底壁部（見込壁部）２２１ａの上面（見込面）の室外側に形成されており、加熱膨張材ｆ２を収容する収容部２２４ａと収容部２２４ａの室内側に設けられる室内側係止部２２４ｂと収容部２２４ａの室外側に設けられる室外側係止部２２４ｃを有しており、両係止部２２４ｂ，２２４ｃの間が加熱時に加熱膨張材が膨出する開口部となっている。
【００２２】
そして、下框２２のホルダー（膨張材保持部）２２４の収容部２２４ａ全体が下框本体２２１の中空部内に飲み込まれるように形成されており、室内側係止部２２４ｂと室外側係止部２２４ｃが下框２２の底壁部２２１ａの上面から上方に突出することなく、底壁部２２１ａの上面はほぼ面一状態となっている。
【００２３】
また、図４（ｃ）に示すように右竪框２３のホルダー（膨張材保持部）２３４は、右竪框２３の底壁部（見込壁部）２３１ａの内周面（見込面）の室外側に形成されており、加熱膨張材ｆ３を収容する収容部２３４ａと収容部２３４ａの室内側に設けられる室内側係止部２３４ｂと収容部２３４ａの室外側に設けられる室外側係止部２３４ｃを有しており、両係止部２３４ｂ，２３４ｃの間が加熱時に加熱膨張材が膨出する開口部なっている。
【００２４】
そして、右竪框２３のホルダー（膨張材保持部）２３４の収容部２３４ａ全体が右竪框本体２３１の中空部内に飲み込まれるように形成されており、室内側係止部２２４ｂと室外側係止部２２４ｃが右竪框２３の底壁部２３１ａの内周面から内周方向に突出することなく、底壁部２３１ａの内周面とほぼ面一状態となっている。
なお、左竪框２４のパネル間口２４２内に形成されたホルダー（膨張材保持部）２４４は、右竪框２３のそれと同様であるので、説明を省略する。
【００２５】
−第２の実施形態−
第２の実施形態の建具は、図３に示すように、障子２の上框２１、下框２２のパネル間口２１２，２２２および右（左）竪框２３のパネル間口２３２の室外側壁部（見付壁部）もしくは室内側壁部（見付壁部）にそれぞれホルダー２１４，２２４，２３４が設けられており、加熱膨張材ｆ１，ｆ２，ｆ３は、ホルダー２１４，２２４，２３４によって保持されて各框材の長手方向に沿って配置されている。
なお、図３（ａ）に示すように、下框２２のパネル間口２２２の底壁部２２１ａの室外側には、パネル間口２２２内に侵入した結露等の水を排水する排水穴２２１ｂが設けられている。
【００２６】
そして、各ホルダーは、ホルダーの一方側の係止部が各パネル間口の底壁部（見込壁部）に飲み込ませて設けられており、一方側の係止部がパネル間口の底壁部から内周方向に突出しないように設けられている。
なお、図３（ｂ）に示す例では、右竪框２３の室内側壁部２３２ａの室外側面と室外側壁部２３２ｂの室内側面との間の寸法ｗ１を、右竪框２３にいんろう接合される横框（上框２１もしくは下框２２）の見込み寸法とほぼ同一の寸法としており、見込寸法を小さく形成している。そして、右竪框２３に横框を接合する際に、ホルダー２３４の内周側の係止片（横框に干渉する部分）のみを切除することで、いんろう接合を可能にしている。
また、図３（ｃ）に示す例では、右竪框２３の見込み寸法を大きくし、ホルダー２３４の開口部の室内側面と室内側壁部２３２ａの室外側面との間の寸法ｗ２を、右竪框２３にいんろう接合される右竪框２３の見込み寸法とほぼ同一の寸法としている。
したがって、上框２１（もしくは下框２２）の端面を右竪框２３のパネル間口２３２の底壁部２３１ａに当接させていんろう結合するに際しても、ホルダー２３４を切除する必要がなく、右竪框２３の室外側壁部２３２ｂに形成したホルダー２３４の室内側面を上框２１（もしくは下框２２）の室外側面に当接させていんろう接合することができる。
【００２７】
そして、具体的には、図５（ａ）に示すように、上框２１のホルダー２１４は、上框２１の室内側壁部（見付壁部）２１２ａの室外側面（見付面）に形成されており、加熱膨張材ｆ１を収容する収容部２１４ａと収容部２１４ａの上側に設けられる上係止部２１４ｂと収容部２１４ａの下側に設けられる下係止部２１４ｃを有しており、上、下係止部２１４ｂ，２１４ｃの間が加熱時に加熱膨張材ｆ１が膨出する開口部となっている。
【００２８】
上框２１のホルダー２１４の上係止部２１４ｂが上框本体２１１の中空部内に飲み込まれて底壁部２１１ａに溝状に形成されており、上係止部２１４ｂが上框２１の底壁部２１１ａの下面から下方に突出することなく、底壁部２１１ａの下面はほぼ面一状態となっている。
【００２９】
また、図５（ｂ）に示すように、下框２２のホルダー２２４は、下框２２の室外側壁部（見付壁部）２２２ｂの室内側面（見付面）に形成されており、加熱膨張材ｆ２を収容する収容部２２４ａと収容部２２４ａの上側に設けられる上係止部２２４ｂと収容部２２４ａの下側に設けられる下係止部２２４ｃを有しており、上、下係止部２２４ｂ，２２４ｃの間が加熱時に加熱膨張材ｆ２が膨出する開口部となっている。
【００３０】
そして、下框２２のホルダー２２４の下係止部２２４ｃが下框本体２２１の中空部内に飲み込まれて底壁部２２１ａに溝状に形成されており、下係止部２２４ｃが下框２２の底壁部２２１ａの上面から上方に突出することなく、底壁部２１１ａの上面はほぼ面一状態となっている。
【００３１】
また、図５（ｃ）に示すように、右竪框２３のホルダー２３４は、右竪框２３の室外側壁部（見付壁部）２３２ｂの室内側面（見付面）に形成されており、加熱膨張材ｆ３を収容する収容部２３４ａと収容部２３４ａの外周側に設けられる外係止部２３４ｂと収容部２３４ａの内周側に設けられる内係止部２３４ｃを有しており、内、外係止部２３４ｂ，２３４ｃの間が加熱時に加熱膨張材ｆ３が膨出する開口部となっている。
【００３２】
そして、右竪框２３のホルダー２３４の外係止部２３４ｂが右竪框本体２３１の中空部内に飲み込まれて底壁部２３１ａに溝状に形成されており、底壁部２３１ａの内周面から内周に突出することなく、底壁部２３１ａの内周面はほぼ面一状態となっている。
なお、左竪框２４のパネル間口２４２内に形成されたホルダー２４４は、右竪框２３のそれと同様であるので、説明を省略する。
【００３３】
以上のように、上記各実施形態の建具においては、障子の框材のパネル間口に形成されるホルダーが、その一部もしくは全部を框材の中空部内に埋設するように設けられている。
【００３４】
第１の実施形態の建具は、以下の効果を奏することができる。
パネル間口の底壁部にホルダー（膨張材保持部）の全部が框本体部の中空部内に埋設するように設けることによって、ホルダー（膨張材保持部）の係止部がパネル間口内に突出することがなく、框材を四周に組むときにホルダー（膨張材保持部）が邪魔にならずに、ホルダー（膨張材保持部）の係止部を削る等の加工をする必要がない。また、地震時等にパネルが衝突してパネルが破損等傷つくことを低減することができる。
【００３５】
そして、各框材に設ける加熱膨張材をパネル間口の見込壁に設けることで、パネル体を強固に保持することができ、特に、下框と竪框に設ける加熱膨張材をパネル体（複層パネル）の室外側に配置した耐火パネルの小口に対向するように配置しているので下方からの火炎に対して素早く膨張して、室外側の耐火性パネルを強固に保持することができる。
【００３６】
そして、火災の進行により室外側の耐火パネルが変形し、さらには脱落することがあっても、上框２１のパネル間口２１２内に配置される加熱膨張材ｆ１が室内側のパネル２５２に向かって膨張しており、室内側のパネル２５２を保持するので、室外側の耐火パネル２５１と室内側のパネル２５２とを同時に失うことを防ぐことができる。
【００３７】
また、上框２１のパネル間口２１２に配置する加熱膨張材ｆ１を室内側に配置することで、火災時に内外ガラス間で発生して上昇する、比重の小さい可燃ガスを室外側に排出して室内側に侵入することを抑制することができる。
そして、上、下框２１，２２および右，左竪框２３，２４の各パネル間口内に長尺の補強部材が四周にわたって配置されていないので、建具の重量を抑えることができるとともに、製造工程の増加や価格の増加を抑制することができる。
【００３８】
第２の実施形態の建具は、以下の効果を奏することができる。
框本体部の中空部内にホルダーの外周側の係合部を埋設するように設けることによって、框材を四周に組むときには、内周側の係止部を削り取ればよく、加工が容易となる。
【００３９】
特に、図５（ａ）に示すように、下框２２の側壁部にホルダー（膨張材保持部）を設けた例においては、下框２２の底壁部２２１ａから突出する部位もなく、また、加熱膨張材ｆが底壁部２２１ａに存在しないので、パネル間口に浸入した結露水等の排水穴２２１ｂ等からの排水を妨げることがない。
【００４０】
なお、本発明は、上記各実施形態の構成に限定されるものではない。
例えば、第２の実施形態の建具におけるホルダーを設ける見付壁部は、室内側壁部と室外側壁部のいずれの壁部でもよく、各框材において、同一側にホルダーを設けても良いし、設ける框によって異ならせてもよい。
また、框材の一部については、第１の実施形態の建具に見られるような、パネル間口の見込壁部にホルダーを設けるものであってもよい。
また、上記各実施形態の建具においては、複層パネルの室外側に耐火パネルを配置しているが、室内側に耐火パネルを配置した複層パネルを用いてもよい。
また、３枚以上の複層パネルを用いる場合は、見込み方向で室外側端部のみなど、一方側端部のみのパネル一枚のみを高価な耐火パネルとし、残り全てのパネルを比較的安価な非耐火パネルとすることにより、低価格で効果を発揮できて好ましい。
【００４１】
なお、上記各実施形態の建具においては、上、下框及び右、左竪框の全てパネル間口において長尺の補強部材を配置することなく、加熱膨張材によって防火性能を維持することができるものではあるが、いずれかの框に例えば多少の補強機能を有する短尺の補助部材等が配置されていてもよい。
また、複層パネルを保持する部材は、グレイジングチャンネルに限るものではなく、パネルの内外をそれぞれ室外ビードと室内ビードで挟持してもよく、または硬化性のコーキングやホットメルトなどの接着剤で接着しながら、パネルを内外で挟持してもよい。若しくはパネルの内外一方をビードで、他方に接着剤を配置してパネルを挟持してもよい。
さらに、横材および竪材を有する建具は、どのような種類の建具であってもよく、また横材および竪材は框材に限るものではなく、ＦＩＸ窓の枠材であってもよい。
【符号の説明】
【００４２】
１        ：枠体
２        ：障子
２１      ：上框
２１１    ：上框本体
２１１ａ  ：底壁部（見込壁部）
２１２    ：パネル間口
２１２ａ  ：室内側壁部（見付壁部）
２１２ｂ  ：室外側壁部（見付壁部）
２１４    ：ホルダー
２２      ：下框
２２１    ：下框本体
２２１ａ  ：底壁部
２２２    ：パネル間口
２２２ａ  ：室内側壁部
２２２ｂ  ：室外側壁部
２２４    ：ホルダー
２３      ：右竪框
２３１    ：右竪框本体
２３１ａ  ：底壁部
２３２    ：パネル間口
２３２ａ  ：室内側壁部
２３２ｂ  ：室外側壁部
２３４    ：ホルダー
２５１    ：耐火パネル
ｆ１      ：加熱膨張材
ｆ２      ：加熱膨張材
ｆ３      ：加熱膨張材
【図１】
2019152055.tif 000003
【図２】
2019152055.tif 000004
【図３】
2019152055.tif 000005
【図４】
2019152055.tif 000006
【図５】
2019152055.tif 000007